(57)【特許請求の範囲】
【請求項１】
音声通話機能を持つ１つ以上の第１の計算機と，計算機網により前記第１の計算機に接続される他の１つ以上の第２の計算機からなる計算機センタと，前記計算機センタと電話網により接続される１つ以上の電話端末からなるシステムにおいて，
前記第１の計算機は，計算機網間用の第１の音声通話処理手段と，この第１の音声通話処理手段と機能的に接続された第１の音声／データ変換手段と，第１のエージェント処理手段とを持ち，
前記計算機センタは，計算機網間用の１つ以上の第２の音声通話処理手段と，この第２の音声通話処理手段と機能的に接続された第２の音声／データ変換手段と，この第２の音声／データ変換手段に接続された網制御手段と，第２のエージェント処理手段と，この第２のエージェント処理手段と機能的に接続された電話番号格納部とを持ち，
前記第１の計算機において前記第１のエージェント処理手段を起動すると，この第１のエージェント処理手段は前記第２のエージェント処理手段と通信し，
前記第１のエージェント処理手段は，前記第１の音声通話処理手段を前記第２の音声通話処理手段と通信するように起動し，
前記第２のエージェント処理手段は前記第２の音声通話処理手段を起動し，前記電話番号格納部に格納された電話番号に対して，前記網制御手段により発信することにより，
前記第１の計算機と前記電話端末との間で通話を行う
ことを特徴とする計算機網から電話への着信方法。
【請求項２】
音声通話機能を持つ１つ以上の第１の計算機と，計算機網により前記第１の計算機に接続される他の１つ以上の第２の計算機からなる計算機センタと，前記計算機センタと電話網により接続される１つ以上の電話端末からなるシステムにおいて，
前記第１の計算機は，計算機網間用の第１の音声通話処理手段と，この第１の音声通話処理手段と機能的に接続された第１の音声／データ変換手段と，ブラウザ処理手段とを持ち，
前記計算機センタは，計算機網間用の１つ以上の第２の音声通話処理手段と，この第２の音声通話処理手段と機能的に接続された第２の音声／データ変換手段と，この第２の音声／データ変換手段に接続された網制御手段と，第２のエージェント処理手段と，サーバ処理手段と，電話番号格納部とを持ち，
前記第１の計算機において前記ブラウザ処理手段により前記サーバ処理手段にアクセスし，特定の指示をすると，前記サーバ処理手段から前記ブラウザ処理手段へ第１のエージェント処理手段を送信し，この第１のエージェント処理手段が前記第１の計算機上で起動し，
前記サーバ処理手段は，前記計算機センタ上で前記第２のエージェント処理手段を起動し，
前記第１のエージェント処理手段は，前記第１の音声通話処理手段を前記第２の音声通話処理手段と通信するように起動し，
前記第２のエージェント処理手段は，前記第２の音声通話処理手段を起動し，前記電話番号格納部に格納された電話番号に対して前記網制御手段により発信することにより，
前記第１の計算機と前記電話端末との間で通話を行う
ことを特徴とする計算機網から電話への着信方法。
【請求項３】
請求項１または請求項２に記載の計算機網から電話への着信方法において，
前記計算機センタの電話番号格納部へ着信先電話番号を書き込む電話番号書き込み手段を持ち，
発信者または着信者からの指示入力により，予め着信先電話番号を前記電話番号格納部に書き込む
ことを特徴とする計算機網から電話への着信方法。
【請求項４】
請求項１または請求項２に記載の計算機網から電話への着信方法において，
発信者の前記第１の計算機からのオンラインによる指示入力により，前記計算機センタの電話番号格納部に着信先電話番号を書き込む
ことを特徴とする計算機網から電話への着信方法。
【請求項５】
請求項１ないし請求項３のいずれかに記載の計算機網から電話への着信方法において，
前記電話番号格納部は，着信者を示す文字列の格納部と，この文字列に対応する電話番号の格納部とを持ち，
前記第１の計算機からオンラインにより着信者を示す文字列を入力し，
電話発信時に，前記エージェント処理手段は，前記入力した文字列を前記電話番号格納部を参照して着信先電話番号に変換し，
前記網制御手段が前記着信先電話番号に発信する
ことを特徴とする計算機網から電話への着信方法。
【請求項６】
請求項１，請求項２または請求項５に記載の計算機網から電話への着信方法において，
前記計算機センタは，前記網制御手段から前記電話番号格納部へ格納する電話番号を受信する電話番号受信手段を持ち，
前記エージェント処理手段または他のエージェント処理手段が，予め電話の着信を前記網制御手段で受け，前記電話番号受信手段で受信した電話番号を前記電話番号格納部に書き込む
ことを特徴とする計算機網から電話への着信方法。
【請求項７】
請求項１，請求項２または請求項５に記載の計算機網から電話への着信方法において，
着信者の居場所を監視するユーザ位置監視手段を備え，
前記ユーザ位置監視手段により着信者の居場所を監視し，その着信者が使用可能な電話番号を前記電話番号格納部に書き込む
ことを特徴とする計算機網から電話への着信方法。
【請求項８】
請求項７に記載の計算機網から電話への着信方法において，
前記ユーザ位置監視手段は，着信者が計算機を使用している時には，前記電話番号格納部にその着信者が使用している計算機を示す情報を書き込み，
その場合には電話に発信せずに，前記第１の音声通話処理手段からのパケットを着信者の計算機の音声通話処理手段に転送するか，または前記第１のエージェント処理手段が前記第１の音声通話処理手段を着信者の音声通話処理手段と通話するように起動することにより，計算機同士で通話させる
ことを特徴とする計算機網から電話への着信方法。
【請求項９】
請求項１または請求項２に記載の計算機網から電話への着信方法において，
計算機網に接続された前記計算機センタが２つ以上のシステムの場合に，
その計算機網に接続された第１の計算機センタ上の前記エージェント処理手段が，発信者からの接続要求を受け付けた時に前記電話番号格納部を調べ，
着信者の電話番号の属する地域と物理的に近い他の第２の計算機センタにその接続要求を転送し，
前記第１の計算機と前記第２の計算機センタ上の前記音声通話処理手段とを接続する
ことを特徴とする計算機網から電話への着信方法。
【請求項１０】
音声通話機能を持つ１つ以上の第１の計算機と，計算機網により前記第１の計算機に接続される他の１つ以上の第２の計算機からなる計算機センタと，前記計算機センタと電話網により接続される１つ以上の電話端末からなるシステムにおいて，
前記第１の計算機は，計算機網間用の第１の音声通話処理手段と，この第１の音声通話処理手段と機能的に接続された第１の音声／データ変換手段とを持ち，
前記計算機センタは，計算機網間用の１つ以上の第２の音声通話処理手段と，この第２の音声通話処理手段と機能的に接続された第２の音声／データ変換手段と，この第２の音声／データ変換手段に接続された第１の網制御手段と，エージェント処理手段と，サーバ処理手段と，電話番号格納部と，第１のデータ通信インタフェース手段とを持ち，
前記電話端末は，第２の網制御手段と，第２のデータ通信インタフェース手段と，音声通話インタフェース手段と，第２のブラウザ処理手段とを持ち，
前記電話端末の第２のブラウザ処理手段により，前記計算機センタのデータ通信インタフェース手段を介して前記サーバ処理手段にアクセスし，特定の指示を行うと，
前記計算機センタでは，前記エージェント処理手段を起動し，
起動されたエージェント処理手段は，前記第２の音声通話処理手段を計算機網に接続された前記第１の計算機上の第１の音声通話処理手段と通話するように起動し，
前記電話端末との通信を切断し，前記第１の網制御手段との接続を前記第１のデータ通信インタフェース手段から前記第１の音声／データ変換手段に切り換え，前記電話端末に対して発信し，
前記電話端末では，前記計算機センタとの通信を切断し，
前記第２の網制御手段の接続を前記第２のデータ通信インタフェース手段から前記音声通話インタフェース手段に切り換えて，着信待ち状態とし，電話網からの着信に対して応答することにより，
前記第１の計算機と前記電話端末との間で通話を行う
ことを特徴とする計算機網から電話への着信方法。
【請求項１１】
請求項１または請求項２に記載の計算機網から電話への着信方法において，
前記第１の音声通話処理手段および前記第２の音声通話処理手段は，音声データとともに動画データを送受信する
ことを特徴とする計算機網から電話への着信方法。
【請求項１２】
計算機網および電話網に接続される１つ以上の計算機を有する，計算機網から電話端末への接続装置であって，
計算機網間用の音声通話を処理する音声通話処理手段と，
前記音声通話処理手段と機能的に接続され，音声データと音声信号とを変換する音声／データ変換手段と，
着信先電話番号を格納する電話番号格納部と，
電話網への発信，接続，切断機能を持つ網制御手段と，
計算機網により接続される他の計算機のブラウザ処理手段から特定の指示を受け付けると，その指示を出した他の計算機上で動作させるエージェント処理手段を送信するサーバ処理手段と，
前記他の計算機上に送信したエージェント処理手段と通信し，音声通話接続要求を受け付けると，前記音声通話処理手段を起動し，前記網制御手段に対して前記電話番号格納部に格納された電話番号への発信指示をするエージェント処理手段とを備えた
ことを特徴とする計算機網から電話への接続装置。
【請求項１３】
電話端末への接続制御を行う計算機センタに計算機網により接続される１つ以上の計算機を有する，計算機網から電話端末への発信装置であって，
計算機網間用の音声通話を処理する音声通話処理手段と，
前記音声通話処理手段と機能的に接続され，音声データと音声信号とを変換する音声／データ変換手段と，
対向する前記計算機センタ上のエージェント処理手段と通信し，前記音声通話処理手段を起動するエージェント処理手段とを備えた
ことを特徴とする計算機網から電話への発信装置。
【請求項１４】
電話端末への接続制御を行う計算機センタに計算機網により接続される１つ以上の計算機を有する，計算機網から電話端末への発信装置であって，
対向する前記計算機センタのサーバ処理手段と通信し，特定の指示を送出するブラウザ処理手段と，
特定の指示によって前記計算機センタから送信されたエージェント処理手段により起動される計算機網間用の音声通話を処理する音声通話処理手段と，
この音声通話処理手段と機能的に接続され，音声データと音声信号とを変換する音声／データ変換手段とを備えた
ことを特徴とする計算機網から電話への発信装置。
【請求項１５】
電話網および計算機網に接続された計算機センタを介して，計算機網に接続された計算機と通話する電話端末であって，
データ通信インタフェース手段と，
音声通話インタフェース手段と，
前記データ通信インタフェース手段を介して，前記計算機センタのサーバ処理手段へアクセスし，特定の指示を行うブラウザ処理手段と，
前記特定の指示を行なった後，前記計算機センタとの通信を切断し，接続を前記データ通信インタフェース手段から前記音声通話インタフェース手段に切り換えて，着信待ち状態とし，電話網からの着信に対して応答する網制御手段とを備えた
ことを特徴とする電話端末。
【請求項１６】
請求項１または請求項２に記載の計算機網から電話への着信方法であって，
前記計算機センタは，前記第２の音声通話処理手段を複数種類持ち，
前記第２のエージェント処理手段は，前記第１の計算機の第１のエージェント処理手段からの通知により前記第１の計算機が使用する第１の音声通話処理手段の種類を認識し，その第１の音声通話処理手段と通信できる前記第２の音声通話処理手段の一つを，前記複数の第２の音声通話処理手段の中から選択して起動し，起動した第２の音声通話処理手段により，前記第１の計算機の第１の音声通話処理手段と通話する
ことを特徴とする計算機網から電話への着信方法。
【請求項１７】
音声通話機能を持つ１つ以上の第１の計算機と，計算機網により前記第１の計算機に接続される他の１つ以上の第２の計算機からなる計算機センタと，前記計算機センタと電話網により接続される１つ以上の電話端末からなるシステムにおいて，
前記第１の計算機は，第１の音声／データ変換手段と，ブラウザ処理手段とを持ち，
前記計算機センタは，計算機網間用の１つ以上の第２の音声通話処理手段と，この第２の音声通話処理手段と機能的に接続された第２の音声／データ変換手段と，この第２の音声／データ変換手段に接続された網制御手段と，サーバ処理手段と，電話番号格納部とを持ち，
前記第１の計算機において前記ブラウザ処理手段により前記サーバ処理手段にアクセスし，特定の指示をすると，前記サーバ処理手段により前記第１の計算機へ第１の音声通話処理手段を送信し，
前記第２の音声通話処理手段と通信するように第１の音声通話処理手段を前記第１の計算機上で起動し，
また，前記計算機センタ上で第２の音声通話処理手段を第１の音声通話処理手段と通信するように起動し，
前記網制御手段は，前記電話番号格納部に格納された電話番号に対して発信することにより，
前記第１の計算機と前記電話端末との間で通話を行う
ことを特徴とする計算機網から電話への着信方法。
【請求項１８】
請求項１０に記載の計算機網から電話への着信方法であって，
前記電話端末は，第３のエージェント処理手段を持ち，
前記電話端末のブラウザ処理手段により，前記電話端末の第２のデータ通信インタフェース手段と前記計算機センタの第１のデータ通信インタフェース手段を介して，前記計算機センタのサーバ処理手段にアクセスし，特定の指示を行うと，前記計算機センタでは，第２のエージェント処理手段を起動し，
起動された第２のエージェント処理手段は，前記第２の音声通話処理手段を計算機網に接続される前記第１の計算機上の第１の音声通話処理手段と通話するように起動し，
前記第２のエージェント処理手段は，前記電話端末との通信を切断し，前記第１の網制御手段との接続を前記第１のデータ通信インタフェース手段から前記第２の音声／データ変換手段に切り換え，前記電話端末に対して発信し，
通話が終了すると，前記第１の網制御手段との接続を前記第２の音声／データ変換手段から前記第１のデータ通信インタフェース手段に切り換え，前記電話端末に発信または前記電話端末に対して着信応答し，
前記電話端末では，前記第３のエージェント処理手段が前記計算機センタとの通信を切断し，前記第２の網制御手段の接続を前記第２のデータ通信インタフェース手段から，前記音声通話インタフェース手段に切り換えて，前記計算機センタからの着信に対して応答し，
通話が終了すると，前記第２の網制御手段の接続を前記音声通話インタフェース手段から，前記第２のデータ通信インタフェース手段に切り換えて，前記計算機センタに対して着信応答または計算機センタに対して発信することにより，
前記第１の計算機と前記電話端末との間で通話を行う
ことを特徴とする計算機網から電話への着信方法。
【発明の詳細な説明】
【０００１】
【発明の属する技術分野】
本発明は，計算機網（計算機ネットワーク）から電話への着信方法，接続装置，発信装置および電話端末に関し，特に計算機網内で用いられる音声通話システムから公衆電話網等に接続される電話に着信させる方法とそのための装置に関する。
【０００２】
【従来の技術】
従来，インターネット上で，インターネットフォンなどの音声通話用プロセスを用いて，音声通話機能を持つ計算機間で音声通話を行う方法が用いられている。図３２は，この第１の従来技術を示す図である。
【０００３】
従来，図３２に示す例のように，光ファイバー，Ｅｔｈｅｒケーブル等からなる計算機網２に接続された計算機３００から，電話網４にモデム３０４を介して，ダイヤルアップＩＰ接続された他の計算機３００’に，インターネットフォン等の音声通話プロセス３０２，３０２’を使用して音声通話を行う方法が用いられている。音声／データ変換部３０１，３０１’は，マイクから入力された音声信号を，デジタルの音声データに変換して出力し，またデジタル化された音声データを入力して音声信号に変換し，スピーカ等に出力する。
【０００４】
しかし，従来の個人ユーザが一般に使用するダイヤルアップＩＰ接続では，ユーザとインターネットとの間の回線は，もともと音声通話のために最適化された回線であるにもかかわらず，図３２に示すように，そこに変復調または符号化によって非音声化したデータを流し，さらにそのデータ上に音声信号を符号化して伝送することになる。したがって，一般の電話のようにはじめから音声信号を伝送する方法と比較して，伝送効率や伝送品質が劣化するという問題がある。
【０００５】
特に携帯電話等の無線回線を使用する場合には，周波数（回線）資源が限られているため，回線資源の無駄と伝送品質の劣化が顕著である。これは電話網がアナログ方式である場合はもちろん，デジタル方式である場合にも同様である。
【０００６】
この問題の解決のため，計算機網とユーザの電話回線との間に音声データと音声信号の変換装置を置き，計算機網上の音声データを音声信号に変換して電話回線に着信させる方法が考えらている。例えば，ＩＤＴ（International Discount Telecommunication Co.）より発表されたＮｅｔ２Ｐｈｏｎｅは，この方法に該当するものと推測される。
【０００７】
図３３は，この第２の従来技術を示す図である。図３３の例は，計算機網２（例えば，インターネット）内に，音声データパケットを電話網４用の音声信号に変換するゲートウェイ装置３０５を置いて，既存の電話網４に発信させるようにしたものである。なお，ゲートウェイ装置３０５は，計算機３００の音声通話プロセス３０２に対応する音声通話プロセス３０２’と音声／データ変換部３０１’と網制御装置（ＮＣＵ）３０６とを持つ。
【０００８】
しかし，この方法では，相手先の電話番号を特定し，また，電話回線に発信するために専用の音声通話プロセスまたは既存の音声通話プロセスの改造が必要になるという問題がある。
【０００９】
また，この音声通話プロセスの改造は，使用する音声通話プロセスごとに行わなければならず，市場に出回っている多種類の音声通話プロセスに対応するのは，不経済であるという問題がある。
【００１０】
【発明が解決しようとする課題】
本発明の目的は，計算機網を使用して音声通話を行う場合の伝送効率の低下，および品質の低下という問題を解決しつつ，既存の音声通話プロセスを使用して，計算機網から公衆電話網等を介して電話への着信を可能にすることである。
【００１１】
【課題を解決するための手段】
上記課題を解決し目的を達成するため，本発明は，例えば図１に示すような手段を備える。図１は本発明の概要を説明する図である。
【００１２】
図１において，１は計算機，２は計算機網，３は計算機センタ，４は電話網，５は電話端末を表す。計算機１は，音声通話処理手段１１，音声／データ変換手段１２を持ち，計算機センタ３は，１または複数の音声通話処理手段３１，音声／データ変換手段３２，エージェント処理手段３３，網制御手段３４，電話番号格納部３５を持つ。
【００１３】
音声通話処理手段１１，３１は，計算機網間で相互に音声通話するプロセスである。
音声／データ変換手段１２，３２は，音声通話処理手段１１，３１とそれぞれ機能的に接続され，音声データと音声信号とを変換する手段である。
【００１４】
エージェント処理手段３３は，音声通話処理手段３１を起動し，発信者が計算機１において音声通話処理手段１１を起動すると，音声通話処理手段１１から送信されたデータストリームを受信して，そのデータストリームを音声通話処理手段３１に転送する手段である。
【００１５】
電話番号格納部３５は，エージェント処理手段３３と機能的に接続され，着信先となる電話端末５の電話番号を格納する手段である。
網制御手段３４は，エージェント処理手段３３からの発信指示により，電話番号格納部３５に格納された電話番号に発信し，電話網４を介して電話端末５と通話するための制御を行う手段である。
【００１６】
〔関連発明１〕
関連発明１は，発信者側の計算機１と，計算機１を電話端末５に接続するための計算機センタ３によって実現される。
【００１７】
計算機１は，計算機網間用の音声通話処理手段１１と，音声通話処理手段１１と機能的に接続された音声／データ変換手段１２とを持ち，計算機センタ３は，エージェント処理手段３３と，計算機網間用の１つ以上の音声通話処理手段３１と，音声通話処理手段３１と機能的に接続された音声／データ変換手段３２と，音声／データ変換手段３２に接続された網制御手段３４と，エージェント処理手段３３と機能的に接続された電話番号格納部３５とを持つ。
【００１８】
発信者が音声通話処理手段１１を起動すると，音声通話処理手段１１から送信されたデータストリームをエージェント処理手段３３で受信する。エージェント処理手段３３は，音声通話処理手段３１を起動し，受信したデータストリームを音声通話処理手段３１に転送する。網制御手段３４は，電話番号格納部３５に格納された電話番号に発信する。これにより，計算機１と電話端末５との通話が可能になる。
【００１９】
音声データパケットは，音声／データ変換手段３２により音声信号に戻されて網制御手段３４に転送され，網制御手段３４を経由して電話網４上を伝送される。
【００２０】
〔請求項１記載の発明〕
関連発明１では，発信側の計算機１上の音声通話処理手段１１からのデータストリームを着信側の計算機センタ３上のエージェント処理手段３３が受信するため，データフォーマットやプロトコルは，計算機１の音声通話処理手段１１に合わせる必要がある。このため，自由に拡張できず，また市場に普及している多種類の音声通話処理手段に対応するのは不経済であるという難点がある。
【００２１】
請求項１に記載する発明は，さらにこの課題を解決し，発信側と着信側の両方にエージェントを置くことにより，エージェント間の通信と音声通話処理プロセス間の通信を分離し，発信側と着信側との間の通信の自由度を増し，また，容易に多種類の音声通話処理プロセスに対応できるようにすることを図っている。
【００２２】
このため，請求項１に記載する発明は，発信側の計算機１が計算機網間用の音声通話処理手段１１と，音声通話処理手段１１と機能的に接続された音声／データ変換手段１２の他に，計算機センタ３のエージェント処理手段３３と通信するためのエージェント処理手段（図示せず）を持つことを特徴とする。
【００２３】
発信者が，計算機１の第１のエージェント処理手段を起動すると，この第１のエージェント処理手段は，計算機センタ３のエージェント処理手段３３と通信する。第１のエージェント処理手段は，音声通話処理手段１１を計算機センタ３の音声通話処理手段３１と通信するように起動し，計算機センタ３では，エージェント処理手段３３が音声通話処理手段３１を起動し，電話番号格納部３５に格納された電話番号に対して，網制御手段３４により発信する。
【００２４】
音声データパケットは，音声／データ変換手段３２により音声信号に戻されて網制御手段３４に転送され，網制御手段３４を経由して電話網４上を伝送される。
【００２５】
〔請求項２記載の発明〕
請求項１記載の発明では，発信側の計算機１が第１のエージェント処理手段を予め持っている必要があり，エージェント処理手段を持たない計算機では使用できないという問題がある。
【００２６】
請求項２に記載する発明は，さらにこの課題を解決し，エージェント処理手段（エージェントプロセス）を予め持たない計算機でも，電話端末５と通話ができるようにすることを図っている。
【００２７】
請求項２に記載する発明は，発信側の計算機１が，計算機網間用の音声通話処理手段１１と，この音声通話処理手段１１と機能的に接続された音声／データ変換手段１２の他に，ＷＷＷ（World Wide Web）ブラウザ（図示せず）を持ち，計算機センタ３が，計算機網間用の１つ以上の音声通話処理手段３１と，この音声通話処理手段３１と機能的に接続された音声／データ変換手段３２と，音声／データ変換手段３２に接続された網制御手段３４の他に，ＷＷＷサーバ（図示せず）を持つことを特徴とする。
【００２８】
発信者が，計算機１のＷＷＷブラウザにより計算機センタ３のＷＷＷサーバにアクセスし，特定の指示をすると，ＷＷＷサーバからＷＷＷブラウザに第１のエージェント処理手段が送信されて計算機１上で起動し，また，ＷＷＷサーバが計算機センタ３上でエージェント処理手段３３を起動し，計算機１では，第１のエージェント処理手段が，音声通話処理手段１１を音声通話処理手段３１と通信するように起動し，計算機センタ３におけるエージェント処理手段３３は音声通話処理手段３１を起動し，電話番号格納部３５に格納された電話番号に対して，網制御手段３４により発信する。
【００２９】
音声データパケットは，音声／データ変換手段３２により音声信号に戻されて網制御手段３４に転送され，網制御手段３４を経由して電話網４上を伝送される。
【００３０】
〔請求項３記載の発明〕
関連発明１，請求項１，請求項２に記載する発明では，着信先の電話端末５の電話番号が固定されているため，着信先の選択に関して柔軟な運用が難しい。そこで，請求項３に記載する発明は，この課題の解決を図り，電話番号を予め書き換える方法を提供する。
【００３１】
請求項３に記載する発明では，さらに，計算機センタ３の電話番号格納部３５に着信先電話番号を書き込む電話番号書き込み手段（図示せず）を持ち，発信者または着信者の指示入力により，予め着信先電話番号を電話番号格納部３５に書き込む。
【００３２】
この発明では，発信がされる以前に，電話番号の書き込み手段により着信先電話番号を電話番号格納部３５に書き込むことができるので，着信先を自由に変更することができる。
【００３３】
〔請求項４記載の発明〕
請求項３に記載する発明では，発信者が着信先の電話番号を指定する場合に，予め電話番号を書き込んでおく必要があるため，ユーザにとって不便という問題がある。請求項４に記載する発明は，この課題の解決を図り，発信者がオンラインで電話番号を指定できるようにする。
【００３４】
このため，請求項４に記載する発明では，計算機センタ３は，着信先電話番号をオンラインで電話番号格納部３５に書き込む電話番号書き込み手段（図示せず）を持ち，発信者のオンラインの指示入力により，電話番号書き込み手段によって予め着信先電話番号を電話番号格納部３５に書き込む。
【００３５】
この発明によれば，発信しようとする時に，計算機１からオンラインで着信先電話番号を電話番号格納部３５に書き込むことができるので，必要なときに簡単に着信先の指定を行うことができる。
【００３６】
〔請求項５記載の発明〕
請求項４に記載する発明では，発信者がいちいち電話番号を入力する必要がある点がユーザにとって不便なことがある。そこで，請求項５に記載する発明は，この課題の解決を図り，発信者が電話番号ではなく，着信者を示す特定の文字列を指定して発信できるようにする。
【００３７】
このため，請求項５に記載する発明では，電話番号格納部３５内に，着信者を示す文字列を格納する格納部とその文字列に対応する着信者の電話番号を格納する格納部とを設け，発信者がオンラインで着信者を示す文字列を入力すると，電話発信時にエージェント処理手段３３が，電話番号格納部３５を参照して，指定された文字列を着信先電話番号に変換し，その電話番号に発信する。
【００３８】
この発明によれば，発信者が着信者名などの文字列をオンラインで入力することによって，電話番号を意識することなく，該当する電話端末５へ発信することが可能になる。
【００３９】
〔請求項６記載の発明〕
請求項３記載の発明では，電話番号を計算機を使用して入力する必要があるため，計算機がないと指定できないという問題がある。
【００４０】
請求項６に記載する発明は，この課題を解決し，電話端末５により電話番号を指定できる方法を提供することを図っている。
請求項６に記載する発明では，計算機センタ３は，網制御手段３４から電話番号格納部３５へ格納する電話番号を受信する電話番号受信手段（図示せず）を持ち，エージェント処理手段３３が，予め，電話の着信を網制御手段３４で受けて電話番号受信手段で受信した電話番号を電話番号格納部３５に書き込む。
【００４１】
この発明によれば，網制御手段３４で電話から着信があると，電話番号受信手段により電話番号を受信し，エージェント処理手段３３がその電話番号を電話番号格納部３５に書き込む。これによって，着信側の電話端末５からの電話番号の指定が可能になっている。
【００４２】
〔請求項７記載の発明〕
請求項７に記載する発明は，発信者または着信者が着信先を入力することなく，自動的に着信先が設定される方法を提供することを図っている。
【００４３】
請求項７に記載する発明では，計算機センタ３は，ユーザ（着信者）位置監視用の他のエージェント処理手段（図示せず）により着信者の居場所を監視し，その着信者の居場所の電話番号を電話番号格納部３５に書き込む。
【００４４】
この発明によれば，着信者が居場所を移動すると，ユーザ位置監視用の他のエージェント処理手段がその着信者の居場所を検出して，その居場所の電話番号を電話番号格納部３５に書き込むので，自動的に着信先が設定される。
【００４５】
〔請求項８記載の発明〕
請求項７に記載する発明では，着信者が計算機網に接続されている計算機に向かっている場合でも，電話端末５へ発信されるという問題がある。
【００４６】
請求項８に記載する発明は，着信者が計算機網に接続されている計算機（図示せず）に向かっている場合には，その計算機で着信できる方法を提供することを図っている。
【００４７】
このため，請求項８に記載する発明では，着信者が計算機網に接続されている計算機を使用している時には，エージェント処理手段３３は電話番号格納部３５に着信者が使用している計算機を示すアドレスまたは識別名等の情報を書き込み，その場合には電話端末５に発信せずに，第１の音声通話処理手段からのパケットを着信者の計算機の音声通話処理手段に転送するか，または第１のエージェント処理手段が第１の音声通話処理手段を着信者の音声通話処理手段と通話するように起動する。これにより，計算機同士で通話するようにする。
【００４８】
この発明によれば，着信者が計算機に向かっている時には，発信側の計算機１と電話端末５との間の通話ではなく，計算機１と着信者が使用している計算機との間での通話が可能になる。
【００４９】
〔請求項９記載の発明〕
請求項８までに記載する発明では，計算機センタ３の属するエリアと着信先電話番号の属するエリアとが物理的に離れている場合には，電話網４の使用料金が高くなるという問題がある。
【００５０】
請求項９に記載する発明は，この課題を解決し，公衆電話網の使用料が安くなるように接続する方法を提供することを図っている。
このため，請求項９に記載する発明では，計算機網２に２つ以上の計算機センタ３が接続されている場合に，第１の計算機センタ３上のエージェント処理手段３３が，発信者からの接続要求を受け付けた時に，電話番号格納部３５を参照して，着信者の電話番号の属する地域と物理的に近い他の第２の計算機センタ（図示せず）があるかどうかを調べ，もし，物理的に近い他の第２の計算機センタがあれば，その計算機センタに発信者からのパケットを転送し，発信側計算機１の音声通話処理手段１１と他の第２の計算機センタ上の音声通話処理手段とを接続する。
【００５１】
この発明によれば，１つの計算機センタ３上のエージェント処理手段３３が，発信者からの接続要求を受け付けた時に，電話番号格納部３５を調べ，その電話番号の属する地域に物理的に近い他の計算機センタにそのパケットを転送し，また，自己の計算機センタ３がその電話番号の属する地域に物理的に近い時には，自己の音声通話処理手段３１を起動して，発信側計算機１の音声通話処理手段１１と接続するので，距離に応じて使用料が変わる公衆電話網等の使用料を安くすることが可能になる。
【００５２】
〔請求項１０記載の発明〕
請求項９までに記載する発明では，電話側からは発信できないという問題がある。請求項１０に記載する発明は，この課題を解決し，実質的に電話側からも発信できる方法を提供することを図っている。
【００５３】
このため，計算機センタ３は，第１のデータ通信インタフェース（図示せず）を持ち，電話端末５は，第２の網制御手段（図示せず）と第２のデータ通信インタフェース（図示せず）と音声通話インタフェース（図示せず）と第２のＷＷＷブラウザ（図示せず）とを持つ。
【００５４】
電話端末５から第２のＷＷＷブラウザにより，電話端末５と計算機センタ３のデータ通信インタフェースを介して，計算機センタ３のＷＷＷサーバ（図示せず）にアクセスし，特定の指示を行うと，計算機センタ３では，エージェント処理手段３３が起動される。
【００５５】
エージェント処理手段３３は，音声通話処理手段３１を計算機網２に接続された計算機１上の音声通話処理手段１１と通話するように起動し，さらに電話端末５との通信を切断し，網制御手段３４との接続をデータ通信インタフェースから音声／データ変換手段３２へ切り換え，電話端末５に対して発信する。
電話端末５では，計算機センタ３との通信を切断し，第２の網制御手段の接続を第２のデータ通信インタフェースから，第２の音声通話インタフェースに切り換えて，着信待ち状態とし，電話網４からの着信に対して応答することにより，計算機１と電話端末５との間の通話を可能にする。
【００５６】
この発明によれば，電話端末５から第２のＷＷＷブラウザにより，電話端末５の第２のデータ通信インタフェースと計算機センタ３の第１のデータ通信インタフェースを介して，計算機センタ３のＷＷＷサーバにアクセスし，特定の指示を行うことにより，計算機センタ３では，いったん電話端末５との通信を切断し，計算機センタ３側から電話端末５に対して発信するので，電話端末５はその着信に対して応答し，実質的に電話端末５側からの発信が実現できたことになる。
【００５７】
〔請求項１１記載の発明〕
上記の発明では，転送されるデータストリームを音声データとしていたが，請求項１１に記載する発明では，さらに転送されるデータストリームを，音声データと動画データとする。これにより，音声＋動画のデータを送受信することができ，いわゆるテレビ電話などのサービスを実現することができる。
【００５８】
〔関連発明２〕
関連発明２は，関連発明１を実現する計算機センタ３の構成に関するものである。
【００５９】
計算機センタ３は，計算機網間で音声通話を処理する音声通話処理手段３１と，音声通話処理手段３１と機能的に接続され，音声データと音声信号とを変換する音声／データ変換手段３２と，着信先電話番号を格納する電話番号格納部３５と，電話網４への発信，接続，切断機能を持つ網制御手段３４と，計算機網２に接続される他の計算機１から送信されたデータストリームを受信し，音声通話処理手段３１を起動し，そのデータストリームを音声通話処理手段３１に転送し，網制御手段３４により電話番号格納部３５に格納された電話番号への発信指示をするエージェント処理手段３３とを備えることにより，計算機網２から電話端末５への着信を可能にする。
【００６０】
〔関連発明３〕
関連発明３は，請求項１に記載する発明を実現する計算機センタ３の構成に関するものである。
【００６１】
計算機センタ３の構成は，前述した関連発明２のものとほぼ同様であるが，エージェント処理手段３３は，計算機１の音声通話処理手段１１と直接通信するのではなく，計算機１のエージェント処理手段と通信し，計算機１のエージェント処理手段との連携処理により，計算機１の音声通話処理手段と自装置の音声通話処理手段３１との音声データの送受信を実現する。
【００６２】
〔請求項１２記載の発明〕
請求項１２に記載する発明は，請求項２に記載する発明を実現する計算機センタ３の構成に関するものである。
【００６３】
計算機センタ３は，計算機網間用の音声通話処理手段３１と，この音声通話処理手段３１と機能的に接続された音声／データ変換手段３２と，音声／データ変換手段３２に接続された網制御手段３４の他に，ＷＷＷサーバ（図示せず）を持つ。ＷＷＷサーバは，計算機１のＷＷＷブラウザから特定の指示を受け付けると，その指示を出した計算機１上で動作させるエージェント処理手段を送信する。計算機センタ３のエージェント処理手段３３は，計算機１へ送信したエージェント処理手段と通信し，音声通話接続要求を受け付けると，音声通話処理手段３１を起動し，網制御手段３４に対して電話番号格納部３５に格納された電話番号への発信を指示する。
【００６４】
〔関連発明４〕
関連発明４は，請求項１０に記載する発明を実現する計算機センタ３の構成に関するものである。
【００６５】
計算機センタ３は，音声通話処理手段３１と音声データ変換手段３２とエージェント処理手段３３と網制御手段３４と電話格納部３５の他に，第１のデータ通信インタフェース（図示せず）と，ＷＷＷサーバ（図示せず）とを持つ。
【００６６】
電話端末５のＷＷＷブラウザから，計算機センタ３のＷＷＷサーバに特定の指示があると，計算機センタ３では，エージェント処理手段３３が起動され，エージェント処理手段３３は，音声通話処理手段３１を計算機網２に接続された計算機１上の音声通話処理手段１１と通話するように起動し，さらに電話端末５との通信を切断し，網制御手段３４との接続をデータ通信インタフェースから音声／データ変換手段３２へ切り換え，電話端末５に対して発信する。
【００６７】
〔請求項１３記載の発明〕
請求項１３に記載する発明は，請求項１に記載する発明を実現する計算機１の構成に関するものである。
【００６８】
発信側の計算機１は，計算機網間用の音声通話を処理する音声通話処理手段１１と，この音声通話処理手段１１と機能的に接続され，音声データと音声信号とを変換する音声／データ変換手段１２と，計算機センタ３上のエージェント処理手段３３と通信し，音声通話処理手段１１を起動するエージェント処理手段とを備える。
【００６９】
〔請求項１４記載の発明〕
請求項１４に記載する発明は，請求項２に記載する発明を実現する計算機１の構成に関するものである。
【００７０】
計算機１は，音声通話処理手段１１および音声／データ変換手段１２の他に，対向する計算機センタ３のＷＷＷサーバと通信し，特定の指示を送出するＷＷＷブラウザを持ち，ＷＷＷブラウザによって計算機センタ３にエージェント処理手段の送信を要求し，計算機センタ３から送信されたエージェント処理手段により音声通話処理手段１１を起動する構成になっている。
【００７１】
〔請求項１５記載の発明〕
請求項１５に記載する発明は，請求項１０に記載する発明を実現する電話端末５の構成に関するものである。
【００７２】
請求項１５記載の電話端末５は，データ通信インタフェース手段と，音声通話インタフェース手段と，前記データ通信インタフェース手段を介して，計算機センタ３のＷＷＷサーバへアクセスし，特定の指示を行うＷＷＷブラウザと，この特定の指示を行なった後，計算機センタ３との通信を切断し，接続を前記データ通信インタフェース手段から前記音声通話インタフェース手段に切り換えて，着信待ち状態とし，電話網４からの着信に対して応答する網制御手段とを持つ構成になっている。
【００７３】
〔関連発明５〕
従来技術では，ユーザは計算機センタ３と同じ音声通話処理手段を使用しなければならず，自分でそれを用意，選択する必要があるため，不便であった。
【００７４】
関連発明５は，関連発明１の計算機センタ３が，さらに，複数の種類の音声通話処理手段３１（３１ａ，３１ｂ，３１ｃ，３１ｄ，…）を持ち，その中で適当な音声通話処理手段３１ｘを自動選択することを特徴とする。
【００７５】
エージェント処理手段３３は，計算機１の音声通話処理手段１１から受信したデータストリームから音声通話処理手段１１の種類を認識し，計算機１の音声通話処理手段１１と通信できる音声通話処理手段３１ｘを，複数の音声通話処理手段３１（３１ａ，３１ｂ，３１ｃ，３１ｄ，…）の中から選択して起動し，その音声通話処理手段３１ｘへデータストリームを転送して通話する。
【００７６】
この発明によれば，エージェント処理手段３３が，音声通話処理手段１１から受信したデータストリームから音声通話処理手段１１の種類を認識することにより，計算機１側が既存の種々の音声通話プロセスを利用する場合でも，対応する音声通話プロセスによって通話を実現することができる。
【００７７】
〔請求項１６記載の発明〕
請求項１６に記載する発明は，請求項１または請求項２のいずれかに記載する計算機センタ３が，さらに，複数の種類の音声通話処理手段３１（３１ａ，３１ｂ，３１ｃ，３１ｄ，…）を持ち，その中で適当な音声通話処理手段３１ｘを自動選択することを特徴とする。
【００７８】
計算機１のエージェント処理手段（図示せず）が音声通話処理手段１１を起動するにあたって，その音声通話処理手段１１の種類を計算機センタ３のエージェント処理手段３３に伝送し，エージェント処理手段３３は，計算機センタ３が持つ音声通話処理手段３１（３１ａ，３１ｂ，３１ｃ，３１ｄ，…）の中から，音声通話処理手段１１と通信できる音声通話処理手段３１ｘを選択して起動する。音声通話処理手段３１ｘは，計算機１の音声通話処理手段１１と通話する。
【００７９】
〔請求項１７記載の発明〕
従来技術，関連発明または他の請求項の発明では，ユーザは何らかの音声通話処理手段を自分で用意する必要があるため，不便であった。
【００８０】
請求項１７に記載する発明では，計算機１が音声／データ変換手段１２と，ＷＷＷブラウザ（図示せず）を持ち，計算機センタ３が計算機網間用の１つ以上の音声通話処理手段３１と，この音声通話処理手段３１と機能的に接続された音声／データ変換手段３２と，音声／データ変換手段３２に接続された網制御手段３４と，ＷＷＷサーバ（図示せず）と，電話番号格納部３５とを持つ。
【００８１】
発信者がＷＷＷブラウザにより計算機センタ３のＷＷＷサーバにアクセスし，特定の指示をすると，ＷＷＷサーバから計算機１のＷＷＷブラウザに音声通話処理手段１１が送信される。計算機１上で，受信した音声通話処理手段１１を，相手の音声通話処理手段３１と通信するように起動し，また，ＷＷＷサーバが計算機センタ３上で音声通話処理手段３１を音声通話処理手段１１と通信するように起動し，電話番号格納部３５に格納された電話番号に対して，網制御手段３４により発信する。これにより，計算機１と電話端末５との間の通話を実現する。
【００８２】
計算機１のＷＷＷブラウザからの要求により，計算機センタ３は，ＷＷＷサーバによって音声通話処理手段３１と通話可能な音声通話処理手段１１を計算機１へ送信するので，以後，送信した音声通話処理手段１１と，計算機センタ３上で起動した音声通話処理手段３１との間の通話が可能になる。
【００８３】
〔請求項１８記載の発明〕
請求項１８に記載する発明では，請求項１０記載の電話端末５において，音声通話終了後に再びＷＷＷブラウザで計算機センタ３にアクセスできるようにするなど，ユーザの利便性を向上させるため，電話端末５がさらに第３のエージェント処理手段（図示せず）を持つ。
【００８４】
電話端末５の第２のＷＷＷブラウザ（図示せず）により，電話端末５と計算機センタ３のデータ通信インタフェース手段（図示せず）を介して，計算機センタ３のＷＷＷサーバ（図示せず）にアクセスし，特定の指示を行うと，計算機センタ３では，エージェント処理手段３３が起動され，エージェント処理手段３３が音声通話処理手段３１を計算機網２に接続された他の計算機１上の音声通話処理手段１１と通話するように起動し，電話端末５との通信を切断し，網制御手段３４との接続をデータ通信インタフェース手段から第２の音声／データ変換手段３２に切り換え，電話端末５に対して発信する。
【００８５】
通話が終了すると，網制御手段３４との接続を第２の音声／データ変換手段３２からデータ通信インタフェース手段に切り換え，電話端末５に発信または電話端末５に対して着信応答する。
【００８６】
電話端末５では，第３のエージェント処理手段が計算機センタ３との通信を切断し，網制御手段（図示せず）の接続をデータ通信インタフェース手段から，音声通話インタフェース手段に切り換えて，計算機センタ３からの着信に対して応答し，通話が終了すると，網制御手段の接続を音声通話インタフェース手段から，データ通信インタフェース手段に切り換えて，計算機センタ３に対して着信応答または計算機センタ３に対して発信して，計算機１と電話端末５との間で通話を行う。
【００８７】
この発明の作用は，以下のとおりである。
電話端末５からのＷＷＷブラウザによる特定の指示の後，計算機センタ３の網制御手段３４および電話端末５の網制御手段との接続が，それぞれのデータ通信インタフェース手段から音声／データ変換手段３２または音声通話インタフェース手段に切り換えられ，計算機センタ３から電話端末５への発信により電話が接続され，音声通話が可能となる。
【００８８】
次に，音声通話終了後は計算機センタ３および電話端末５内部で網制御手段３４と電話端末５の網制御手段との接続がそれぞれのデータ通信インタフェース手段に戻されて，計算機センタ３または電話端末５から発信・応答してデータ通信が可能となり，ＷＷＷアクセスが継続される。
【００８９】
【発明の実施の形態】
以下，本発明の実施の形態の例を，関連発明，請求項ごとに説明する。
〔関連発明１，関連発明２〕
図２は，関連発明１と関連発明２の実施の一形態を示す構成図である。図２の例は，１つの計算機６と，１つの計算機からなる計算機センタ７との間で音声通話を行う例である。
【００９０】
計算機網２は，ＬＡＮ（Local Area Network）でも，ＷＡＮ（Wide Area Network ）でも，それらを接続したＩｎｔｅｒｎｅｔなどでもよく，Ｅｔｈｅｒケーブル，光ファイバー，専用線，ルーター，ブリッジ，ハブ，交換機等で構成される。
【００９１】
電話網４は，アナログ電話網でもディジタル電話網（ＩＳＤＮ；Integral Service Digital Network）でもよく，またアナログまたはデジタルの無線通信網でもよい。
【００９２】
計算機６は，音声通話プロセス６１，音声／データ変換部６２を備え，計算機センタ７は，音声通話プロセス７１と，音声／データ変換部７２と，エージェント７３と，網制御部７４と，電話番号格納部７５とを備える。
【００９３】
音声通話プロセス６１，７１は，計算機網間用の音声通話を行う手段であり，例えばｖａｔ（Visual Audio Tool)，ｉｎｅｔｐｈｏｎｅなどを使用する。音声／データ変換部６２，７２は，音声信号と音声データを相互に変換する手段である。
【００９４】
エージェント７３は，音声通話プロセス７１を起動し，計算機網２で接続された計算機６上の音声通話プロセス６１から送信されたデータストリームを受信し，音声通話プロセス７１に転送し，電話番号格納部７５を参照して通話先の電話８の電話番号を取得し，網制御部７４に取得した電話番号への発信指示を行う手段である。
【００９５】
網制御部７４は，エージェントからの発信指示により，電話網４を介して電話８との通話を制御する手段である。電話番号格納部７５は，１以上の電話８の電話番号等を格納する手段である。
【００９６】
図３は，図２に示す構成において，発信側計算機６のユーザＵ１から電話８のユーザＵ２へ発信する場合のシーケンスを示している。
まず，ユーザＵ１が音声通話プロセス６１を起動する（ａ１）。ユーザＵ１から音声通話プロセス６１の起動は，具体的には“vat machine2.domain2/2222 ”または“vat 123.456.78.12/2222”のように行う。ここで“vat ”は音声通話プロセス６１を示すコマンド名，“machine2.domain2”はエージェント７３の存在する計算機センタ７のマシン名とその属するドメイン名，“123.456.78.12 ”はエージェント７３の存在するマシンのＩＰアドレス，“/ ”の後の“2222”はポート番号を示す。
【００９７】
次に，音声通話プロセス６１は，エージェント７３へ計算機網２を介して接続要求を送出する（ｂ１）。
接続要求を受けたエージェント７３は，音声通話プロセス７１を起動し，データを転送する（ｃ１）。エージェント７３による音声通話プロセス７１の起動は“vat machine1.domain1/1111 ”または“vat 987.654.32.10/1111”のようなコマンド投入により行う。
【００９８】
この例では，エージェント７３のポート番号は，音声通話プロセス７１のポート番号とは異なるようにしている。同一にした場合には，同一の計算機上にエージェント７３と音声通話プロセス７１が一緒に存在できないので，計算機センタ７は２つ以上の計算機から構成されるようにしなければならない。
【００９９】
起動された音声通話プロセス７１は，エージェント７３へ接続応答し（ｄ１），エージェント７３は，さらに計算機６の音声通話プロセス６１へ接続応答する（ｅ１）。また，エージェント７３は，電場番号格納部７５から，通話先の電場番号を読み出す（ｆ１）。
【０１００】
ユーザＵ１と音声通話プロセス６１間の接続（ｇ１），音声通話プロセス６１とエージェント７３間の通信（ｈ１），エージェント７３と音声通話プロセス７１間の転送（ｉ１），音声通話プロセス７１と網制御部７４間の接続（ｊ１）が行なわれる。
【０１０１】
次に，エージェント７３から網制御部７４へ発信指示がされ（ｋ１），網制御部７４は，通話先の電話８へ発信する（ｌ１）。
電話８でユーザＵ２が応答すると（ｍ１），網制御部７４は，電話８からの応答信号を受け（ｎ１），電話８，ユーザＵ２との接続（ｏ１，ｐ１）が確立される。これによって，ユーザＵ１とユーザＵ２は通話が可能となり，ユーザＵ１とユーザＵ２との通話が行なわれる（ｑ１）。
【０１０２】
ユーザＵ２が電話８を切断すると（ｒ１），網制御部７４は電話８からの切断信号を受け（ｓ１），切断通知（音声信号）を転送する（ｔ１）。切断通知を受け取ったユーザＵ１が，音声通話プロセス６１へ終了指示を行うと（ｕ１），音声通話プロセス６１はエージェント７３へ終了通知を送信し，エージェント７３は，さらに終了通知を音声通話プロセス７１へ転送し（ｖ１），網制御部７４に切断指示を行う（ｗ１）。
【０１０３】
エージェント７３から網制御部７４への発信指示は，具体的には“ATDT1234567 ”（ＡＴコマンドを使用する場合）または“CRN1234567”（Ｖ．２５ｂｉｓコマンドを使用する場合）のようになる。ここで，“1234567 ”は通話先の電話番号である。同様に，切断指示は“+++ ”の後“ATH0”（ＡＴコマンド），または“RST ”（Ｖ．２５ｂｉｓ，ただしリセット命令で代用）を用いる。
【０１０４】
図４は，関連発明１の他の実施の形態における構成例を示す図である。図４では，２つの計算機６，６’と，３つの計算機からなる計算機センタ７の間で音声通話を行う場合の例を示している。
【０１０５】
計算機センタ７の１つの計算機は，エージェント７３と電話番号格納部７５とを持つ。また，それぞれ音声通話プロセス７１，７１’，音声／データ変換部７２，７２’，網制御部７４，７４’を持つ２つの計算機が置かれている。
【０１０６】
音声通話プロセス６１，６１’から接続があった場合には，エージェント７３は，それぞれの接続を，音声通話プロセス７１，７１’に振り分けて，それぞれについて，図３に示すシーケンスで処理を行う。
【０１０７】
〔請求項１，請求項１３に記載する発明〕
図５は，請求項１と請求項１３に記載する発明の実施の一形態を示す構成図である。図５では，１つの計算機と，他の１つの計算機からなる計算機センタの間で音声通話を行う例を示す。
【０１０８】
図５において，計算機６は，音声通話プロセス６１，音声／データ変換部６２，エージェント６３を備え，計算機センタ７は，図２に示す計算機センタ７と同様に，音声通話プロセス７１，音声／データ変換部７２，エージェント７３，網制御部７４，電話番号格納部７５を備える。
【０１０９】
計算機センタ７の各構成手段は，図２で示した計算機センタ７のものと，ほぼ同様である。計算機６は，エージェント７３と通信し，音声通話プロセス６１を起動するエージェント６３を備える。
【０１１０】
図６は，図５に示す構成において，発信側計算機６のユーザＵ１から電話８のユーザＵ２へ発信する場合のシーケンスを示している。
まず，ユーザＵ１が，エージェント６３を起動すると（ａ２），エージェント６３は，計算機センタ７のエージェント７３へ接続要求を送る（ｂ２）。エージェント７３から接続応答があると（ｃ２），エージェント６３は，音声通話プロセス６１を起動する（ｄ２）。一方，エージェント７３は，音声通話プロセス７１を起動する（ｅ２）。音声通話プロセス６１，７１の起動は，関連発明１の場合と同様である。
【０１１１】
次に，音声通話プロセス６１は，音声通話プロセス７１へ接続要求を送出し（ｆ２），音声通話プロセス７１からの接続応答を得る（ｇ２）。
また，エージェント７３は，電場番号格納部７５から，通話先の電場番号を読み出す（ｈ２）。
【０１１２】
ユーザＵ１と音声通話プロセス６１間の接続（ｉ２），音声通話プロセス６１と音声通話プロセス７１間の通信（ｊ２），音声通話プロセス７１と網制御部７４間の接続（ｋ２）がそれぞれ行われ，エージェント７３から網制御部７４へ発信指示がされ（ｌ２），網制御部７４は，通話先の電話８へ発信する（ｍ２）。網制御部７４への発信指示は，関連発明１の場合と同様である。
【０１１３】
電話８でユーザＵ２が応答すると（ｎ２），網制御部７４は，電話８からの応答信号を受け（ｏ２），電話８，ユーザＵ２との接続（ｐ２，ｑ２）が確立される。これによって，ユーザＵ１とユーザＵ２とは通話が可能となる（ｒ２）。
【０１１４】
通話が終了し，ユーザＵ２が通信を切断すると（ｓ２），網制御部７４は電話８からの切断信号を受け（ｔ２），切断通知（音声信号）を転送する（ｕ２）。切断通知を受け取ったユーザＵ１が，エージェント６３を介して音声通話プロセス６１へ終了指示を行うと（ｖ２），音声通話プロセス６１は音声通話プロセス７１へ終了通知を送信する（ｗ２）。エージェント６３は，さらにエージェント７３へ切断指示を送り，エージェント７３は，網制御部７４へ切断指示を出す（ｘ２）。切断指示は，関連発明１の場合と同様である。
【０１１５】
図７は，請求項１に記載する発明の他の実施の形態における構成例を示す図である。図７では，２つの計算機６，６’と，３つの計算機からなる計算機センタ７との間で音声通話を行う場合の例を示す。
【０１１６】
エージェント６３，６３’から通信要求があった場合には，エージェント７３は，それぞれの通信要求を得て音声通話プロセス７１，７１’を起動し，接続，通信を行うようにして，図６に示すシーケンスで処理を行う。
【０１１７】
〔請求項２，請求項１２，請求項１４に記載する発明〕
図８は，請求項２と請求項１２と請求項１４とに記載する発明の実施の一形態を示す構成図である。図８では，１つの計算機と，他の１つの計算機からなる計算機センタの間で音声通話を行う例を示している。
【０１１８】
図８において，計算機６は，音声通話プロセス６１，音声／データ変換部６２，エージェント６３，ＷＷＷ（World Wide Web）ブラウザ６４を備え，計算機センタ７は，音声通話プロセス７１，音声／データ変換部７２，エージェント７３，網制御部７４，電話番号格納部７５，ＷＷＷ（World Wide Web）サーバ７６を備える。
【０１１９】
ＷＷＷブラウザ６４は，音声通話を行うための特定の指示をＷＷＷサーバ７６へ送信する。ＷＷＷサーバ７６は，ＷＷＷブラウザ６４からの特定の指示を受け付けると，計算機６上で起動するエージェント６３を計算機６へ送信し，さらに，計算機センタ７のエージェント７３を起動する。ＷＷＷサーバ７６からの送信により計算機６において起動されたエージェント６３は，音声通話プロセス６１を起動する。
【０１２０】
図９は，図８に示す構成において，発信側計算機６のユーザＵ１から電話８のユーザＵ２へ発信する場合のシーケンスを示す図である。
まず，ユーザＵ１が，ＷＷＷブラウザ６４を起動し（ａ３），ＷＷＷブラウザ６４は，ＷＷＷサーバ７６へ接続要求を送り（ｂ３），さらにメニュー項目の中から音声サービスを選択しクリックして選択指示を送ると（ｃ３），ＷＷＷサーバ７６からユーザ用の計算機６へエージェント６３が転送され，起動される（ｄ３）。このエージェント６３は，例えばＪａｖａ言語で記述され，アプレット（applet）として転送される。
【０１２１】
エージェント６３は，音声通話プロセス６１を起動し（ｅ３），ＷＷＷサーバ７６は，エージェント７３をＣＧＩ(Common Gateway Interface)などの機構により起動する（ｆ３）。以降のシーケンス（ｇ３〜ｚ３）は，図６に示すｅ２〜ｘ２のシーケンスと同様である。
【０１２２】
〔請求項３に記載する発明〕
図１０は，請求項３に記載する発明の実施の一形態を示す構成図である。請求項３の発明では，図１０に示すように，電話番号書き換え部９を持つ。
【０１２３】
図１０の計算機６および計算機センタ７の構成は，図２，図５，図８で示す構成のいずれかでよい。ここで，電話番号格納部７５は独立したファイルとなっており，電話番号書き換え部９により，上書きされることにより更新される。
【０１２４】
電話番号書き換え部９としては，例えばＦＴＰ（File Transfer Protocol）を使用しているが，電子メール，Ｔｅｌｎｅｔ等を使用することもできる。電子メールによる場合には，電話番号格納部７５はテキストデータのみからなるファイルとしておき，電子メールにより送信された内容をそのまま電話番号のファイルとして置き換えるようにする。また，この例では，発信者により書き換えるようにしているが，着信者によりあらかじめ書き換えるようにしてもよい。
【０１２５】
〔請求項４に記載する発明〕
図１１は，請求項４に記載する発明の実施の一形態を示す構成図である。請求項４に記載する発明は，請求項１，請求項２のいずれかの発明において，計算機６からオンラインで電話番号を入力できるようにするものである。
【０１２６】
図１１の例では，計算機６のオペレーティング・システム（ＯＳ）は，ＵＮＩＸシステムで，Ｘ  Ｗｉｎｄｏｗシステムが稼動しているものとする。
エージェント７３は，通信中に電話番号入力を促す表示を計算機６のＸサーバ６５に依頼する。計算機６ではこの依頼に従い，表示用のウインドウを開き，ユーザが電話番号を入力するとそれをエージェント７３に転送する。
【０１２７】
エージェント７３は，それを一時的に電話番号格納部７５に書き込むとともに，その電話番号を読み出して網制御部７４に指示することにより電話８への発信を行う。この場合，エージェント７３はＸサーバ６５に対してはＸクライアントとして機能している。
【０１２８】
図１２は，図５に示す構成例において，発信側計算機６のユーザＵ１からオンライン電話番号入力をする場合のシーケンス例を示している。
ここでは，計算機６（クライアント）と計算機センタ７（サーバ）の両方にエージェントがあり，互いに通信するので，図１１に示す構成例のように，Ｘ  Ｗｉｎｄｏｗシステムのような特別な仕組みがなくてもオンラインの電話番号入力ができる利点がある。
【０１２９】
図１２に示すユーザＵ１のエージェント起動（ａ４）から，ユーザＵ１から網制御部７４までの接続，通信の確立（ｊ４）のシーケンスは，図６に示すシーケンスａ２〜ｇ２，ｉ２〜ｋ２と同様である。
【０１３０】
ユーザＵ１から網制御部７４間のそれぞれの接続，通信がそれぞれ確立すると，ユーザＵ１は，電話番号を入力する（ｋ４）。エージェント６３は入力されたデータをエージェント７３へ転送し（ｌ４），エージェント７３は電話番号格納部７５へ電話番号を書き込む（ｍ４）。さらに，エージェント７３は，通話先の電話番号を読み出す（ｎ４）。
【０１３１】
以降，エージェント７３の発信指示（ｏ４）から切断指示（ｙ４）までのシーケンスは，図６に示すシーケンスｌ２〜ｘ２と同様である。
〔請求項５に記載する発明〕
図１３は，請求項５に記載する発明の実施の一形態を示す構成図である。請求項５に記載する発明では，請求項１，請求項２のいずれかの発明の計算機センタ７の電話番号格納部７５は，文字列部分格納部７５１と，電話番号部分格納部７５２とを持つ。
【０１３２】
発信者が，着信者を特定する文字列を入力すると，エージェント７３は，電話発信時に，その入力した文字列を，文字列部分格納部７５１を検索することによって対応する電話番号部分格納部７５２の電話番号に変換し，その電話番号に発信するよう網制御部７４に発信指示をする。
【０１３３】
〔請求項６に記載する発明〕
図１４は，請求項６に記載する発明の実施の一形態を示す構成図である。請求項６に記載する発明では，請求項１，請求項２のいずれかの発明の計算機センタ７の構成に，さらに計算機６からの着信を希望するユーザの電話８からの電話番号受信部７７を持つ。
【０１３４】
電話網４がアナログ方式の場合には，電話番号受信部７７としてＤＴＭＦレシーバを使用し，電話８からプッシュボタン信号音（ＤＴＭＦ信号）で電話番号を入力させ，それをＤＴＭＦレシーバで受信し，受信結果を電話番号格納部７５に書き込む。電話網４がＩＳＤＮなどのデジタル電話網の場合には，ＤＴＭＦレシーバに代えて，発信者番号通知データを取得する手段を使用して，発信者番号を取得し，電話番号格納部７５に書き込む。
【０１３５】
〔請求項７に記載する発明〕
図１５は，請求項７に記載する発明の実施の一形態を示す構成図である。請求項７の発明では，請求項１，請求項２のいずれかの発明の構成に，さらにユーザ位置監視エージェント９が加えられている。
【０１３６】
ユーザ位置監視エージェント９は，通話相手（着信者）の現在位置を監視し，着信可能な電話番号を常に電話番号格納部７５へ書き込む。ユーザ位置監視エージェント９によるユーザの位置監視の方法は，例えば「パーソナル通信サービス分散制御システム」（特開平０８−０５６２６３号公報）を利用する。
【０１３７】
図１６は，ユーザ位置監視エージェント９の動作を概説する図である。
例えば，通話相手（ユーザ）が，赤外線（ＩＲ）による位置管理網が張り巡らされた構内におり，ユーザがＩＲカード９１を携帯している場合に，そのユーザがデスクＡからデスクＢへ移動したとする。
【０１３８】
デスクＢをエリアとする赤外線基地局９２’は，新たなＩＲカード９１を検出すると，ＩＲカード・マネージャ９３’へ通知する。ＩＲカード・マネージャ９３’は，そのエリア（デスクＢのエリア）を管理するエリアエージェント（デスクＢ）９４’にこれを通知する。各エリアエージェント９４，９４’は，エリア内のユーザオブジェクトと端末オブジェクトを管理している。
【０１３９】
デスクＢのエリアエージェント９４’は，ＩＲカード９１のオブジェクトを自分自身に書き込み，デスクＡのエリアエージェント９４には削除を依頼する。また，ＩＲカード９１の属性を調べ，登録されているユーザであるのでユーザ位置監視エージェント９へ通知する。
【０１４０】
ユーザ位置監視エージェント９は，デスクＢのエリアエージェント９４’から，使用できる端末として電話機があることを検出し，その電話番号を電話番号格納部７５に書き込む。
【０１４１】
このようにして，ユーザ位置監視エージェント９は，常にユーザの位置と使用可能な電話番号や計算機の有無を知ることができる。
なお，以上のような技術については，「パーソナル通信サービス分散制御システム」（特開平０８−０５６２６３号公報）または「パーソナル通信網ＤＵＥＴにおけるモビリティ管理方式の検討」（電子情報通信学会技術報告ＣＳ９４−２０１）に詳述されている。
【０１４２】
〔請求項８に記載する発明〕
図１７は，請求項８に記載する発明の実施の一形態を示す構成図である。請求項８に記載する発明では，請求項１，請求項２に記載するいずれかの発明の計算機センタ７の構成に，さらに使用中検出部７８が加えられている。
【０１４３】
通話相手が，電話８の他に計算機６’でも通話可能な場合に，使用中検出部７８は，エージェント７３に通知する。
ユーザが計算機６’を使用可能かどうかは，例えば図１５に示すユーザ位置監視エージェント９に問い合わせることにより知る。
【０１４４】
エージェント７３は，電話番号格納部７５に，通話相手が計算機を使用可能であることを示す情報を書き込む。通話相手が計算機を使用中であることを示す情報が書き込まれている場合には，電話８へ発信せずに，音声／データ変換部７２の入出力を，計算機６’に接続された音声入力手段と音声出力手段（図示せず）に接続するようにする。
【０１４５】
〔請求項９に記載する発明〕
図１８は，請求項９に記載する発明の実施の一形態を示す構成図であり，関連発明１の計算機センタ７と他の計算機センタ７’との間の転送の例を示すものである。
【０１４６】
まず，計算機６のユーザが音声通話プロセス６１を計算機センタ７に対して立ち上げる。エージェント７３がそれに応答し，次にユーザが電話番号を入力すると，その局番から電話番号格納部７５を参照し，自計算機センタ７から発信するか他の計算機センタ７’から発信するかを判別し，他の計算機センタ７’から発信する場合には，その計算機センタ７’にデータパケットを転送し，自計算機センタ７の場合には自計算機センタ７から電話網４に発信するようにする。
【０１４７】
図１９は，請求項９に記載する発明の他の実施の形態における構成例を示す図であり，請求項１に記載する発明に対応する計算機センタ間の転送の例を示すものである。
【０１４８】
まず，計算機６のユーザがエージェント６３を計算機センタ７に対して立ち上げる。エージェント７３がそれに応答し，次にユーザが電話番号を入力すると，その局番から電話番号格納部７５を参照し，自計算機センタ７から発信するか他の計算機センタ７’から発信するかを判別し，他の計算機センタ７’から発信する場合には，その計算機センタ７’にデータパケットを転送する。自計算機センタ７の場合には，転送元のエージェント６３に応答を返す。
【０１４９】
最後に，各エージェントが発信元の音声通話プロセス６１と最後の計算機センタ７’上の音声通話プロセス７１’を互いに通話相手として指定して立ち上げ，最後の計算機センタ７’のエージェント７３’が電話網４を介して電話８へ発信する。
【０１５０】
図２０は，請求項９に記載する発明の他の実施の形態における構成例を示す図であり，請求項２に記載する発明に対応する計算機センタ間の転送の例を示すものである。
【０１５１】
まず，計算機６のユーザがＷＷＷブラウザ６４を立ち上げ，計算機センタ７のＷＷＷサーバ７６にアクセスする。電話サービスを指定することにより，計算機６にはエージェント６３が転送されて起動すると同時に，計算機センタ７ではＣＧＩ(Common Gateway Interface)によりエージェント７３が起動される。エージェント７３が電話番号格納部７５を調べ，他の計算機センタ７’から発信すべき場合にはエージェント７３が他の計算機センタ７’のＷＷＷサーバ７６’をＨＴＴＰ（Hyper Text Transfer Protocol) でアクセスする。
【０１５２】
エージェント７３によるアクセスを受け付けた計算機センタ７’のＷＷＷサーバ７６’はエージェント７３からのアクセスであることを，適当なＨＴＭＬ（Hyper Text Makeup Language）の記述などの何らかの手段で認識し，アクセス元へのエージェントの送信は行わず，自計算機センタ７’上でエージェント７３’をＣＧＩにより起動する。エージェント７３は，相手のエージェント７３’が既に起動されているのであれば点線で示すように，直接エージェント７３’に対して通信を行ってもよい。
【０１５３】
エージェント７３’は電話番号格納部７５’を調べ，自計算機センタ７’が適当であれば，音声通話プロセス７１’を発信元の計算機６を通話相手として指定して起動し，自計算機センタ７’より電話網４を介して電話８へ発信する。発信元のエージェント６３でも最後の計算機センタ７’のエージェント７３’との間で通信し，最後の計算機センタ７’を通話相手として指定して音声通話プロセス６１を起動する。
【０１５４】
図１８〜図２０の例では，電話番号格納部７５は計算機センタ７内に設置しているが，計算機センタ７とは独立な計算機上に設置してもよい。また，計算機網２と計算機網２’とは同一の網でも異なる網でもよい。
【０１５５】
図１８〜図２０の例において，電話番号格納部７５は，電話番号データベースとして構成してもよい。図２１および図２２は，その電話番号データベースの構成例を示している。
【０１５６】
図２１では，電話番号とその局番に対応する計算機センタ７のアドレスを格納するような構成としている。計算機センタ７のエージェント７３は電話番号格納部７５を参照して，他の計算機センタ７’が記入されていれば他の計算機センタ７’にパケットを転送し，自計算機センタ７が記入されていれば自計算機センタ７から電話網４を介して電話８へ発信する。また，図２２に示すように，電話番号格納部７５とは別に，局番から対応する計算機センタを検索できる他のデータベースを参照させるようにしてもよい。
【０１５７】
図２１と図２２とでは，センタ・アドレスをＩＰアドレスで記述しているが，マシン名＋ドメイン名で記述するようにしてもよい。
〔請求項１０，請求項１５に記載する発明〕
図２３は，請求項１０と請求項１５に記載する発明の他の実施の形態における構成例を示す図である。
【０１５８】
ユーザは，まず電話端末８１のデータ通信インタフェース（Ｉ／Ｆ）８３を使用してＷＷＷブラウザ８５で計算機センタ７のＷＷＷサーバ７６にアクセスする。この時，網制御部７４は，データ通信インタフェース（Ｉ／Ｆ）７９に接続されている。
【０１５９】
ユーザがメニュー項目から例えば「インターネット電話」を選択し，クリックすると，ＷＷＷサーバ７６はＣＧＩ等の仕組みによりエージェント７３を起動する。エージェント７３は，さらに，指定された（通話すべき）相手の音声通話プロセス６１と通話するように音声通話プロセス７１を起動し，いったん電話回線を切断する。
【０１６０】
次に，エージェント７３は，計算機センタ７の網制御部７４と音声／データ変換部７２を接続し，電話端末８１に対して発信する。
電話端末８１の側では網制御部８２と音声通話インタフェース（Ｉ／Ｆ）８４を接続して着信待ち状態とする。したがって，計算機センタ７からの着信を受けると計算機６との間で音声通話が可能となる。
【０１６１】
ここで，データ通信インタフェース（Ｉ／Ｆ）８３は，電話回線がアナログ回線の場合にはモデム等で構成され，デジタル回線の場合にはターミナル・アダプタにより構成される。また，音声通話インタフェース（Ｉ／Ｆ）８４は，アナログ回線の場合には増幅器，２線−４線変換器等で構成され，デジタル回線の場合にはコーデックで構成される。
【０１６２】
図２４は，電話端末８１を無線機一体型ＰＤＡ（Personal Digital Asistant)として構成した例を示す図である。本構成例では電話網４は，無線受信局４１を有する無線電話網を含む構成としている。回線制御器８２１および無線部（ＲＦ）８２２により，図２３に示す網制御部８２を実現する。
【０１６３】
〔関連発明５〕
関連発明５の実施の形態を，前述の図１を用いて説明する。関連発明５では，関連発明１の計算機センタ７が，さらに複数種類の音声通話プロセス（図１に示す音声通話処理手段３１ａ，３１ｂ，…）を持つ構成になっている。
エージェント処理手段３３（エージェント）が，音声通話処理手段１１（音声通話プロセス）から受信したデータストリームから，音声通話処理手段１１（音声通話プロセス）の種類を認識し，自計算機センタ３が持つ複数種類の音声通話処理手段３１ａ，３１ｂ，３１ｃ，３１ｄ，…（音声通話プロセス）から，計算機１側の音声通話処理手段１１（音声通話プロセス）と通話可能な音声通話処理手段３１ｘ（音声通話プロセス）を選択して起動し，データストリームを転送して通話する。
【０１６４】
〔請求項１６に記載する発明〕
図２５は，請求項１６に記載する発明の実施の一形態を示す構成図であり，請求項１または請求項２に記載する発明の計算機センタ７が，さらに複数種類の音声通話プロセスを持つ構成になっている。
【０１６５】
エージェント６３が，音声通話プロセス６１を起動する以前に，音声通話プロセス６１の種類をエージェント７３に伝送し，エージェント７３が，計算機センタ７が持つ複数種類の音声通話プロセス７１ａ，７１ｂ，７１ｃ，７１ｄ，…から，音声通話プロセス６１と通話可能な音声通話プロセス７１ｘを選択して起動し，通話する。
【０１６６】
〔請求項１７に記載する発明〕
図２６は，請求項１７に記載する発明の実施の一形態を示す構成図であり，予め音声通話プロセスを持たない計算機でも，電話との通話を可能にする例を示すものである。
【０１６７】
図２６に示すように，計算機６は，音声／データ変換部６２，ＷＷＷ（World Wide Web）ブラウザ６４を備え，計算機センタ７は，音声通話プロセス７１，音声／データ変換部７２，網制御部７４，電話番号格納部７５，ＷＷＷ（World Wide Web）サーバ７６を備える。
【０１６８】
ＷＷＷブラウザ６４は，音声通話を行うための特定の指示をＷＷＷサーバ７６へ送信する。ＷＷＷサーバ７６は，ＷＷＷブラウザ６４からの特定の指示を受け付けると，計算機６上で起動する音声通話プロセス６１を送信し，さらに，計算機センタ７の音声通話プロセス７１を起動する。ＷＷＷサーバ７６の送信により起動された音声通話プロセス６１と音声通話プロセス７１とを介して，計算機６と電話８との通話を実現する。
【０１６９】
〔請求項１８に記載する発明〕
図２７および図２８は，請求項１８に記載する発明の実施の形態を示す構成図であり，図２３および図２４に示す請求項１０に記載する発明における電話端末８１の構成に，さらにエージェント８６を加えた構成になっている。なお，図２８は，電話端末８１を無線機一体型ＰＤＡ(Personal Digital Asistant）として構成した例であり，基本的な動作は図２７と同様であるので併せて説明する。
【０１７０】
電話端末８１のＷＷＷサーバ８５からの特定の指示の後，計算機センタ７のエージェント７３は，網制御部７４（ＮＣＵ７４１）の接続をデータ通信インタフェース７９（モデム７９１）から音声／データ変換部７２へと切り換える。また，電話端末８１のエージェント８６は，網制御部８２（無線部８１１）の接続をデータ通信インタフェース（Ｉ／Ｆ）８３から音声通話インタフェース８４（コーデック８４１）へ切り換える。その後，計算機センタ７から電話端末８１への発信により電話が接続され，音声通話が可能となる。
【０１７１】
次に，音声通話終了後は，計算機センタ７のエージェント７３は，網制御部７４（ＮＣＵ７４１）の接続を音声／データ変換部７２からデータ通信インタフェース７９（モデム７９１）へと戻し，また，電話端末８１のエージェント８６は，網制御部８２（無線部８１１）の接続を音声通話インタフェース８４（コーデック８４１）からデータ通信インタフェース（Ｉ／Ｆ）８３へ戻す。その後，計算機センタ７または電話端末８１から発信し，接続することにより，データ通信が可能となり，ＷＷＷブラウザ８５のアクセスが可能になる。
【０１７２】
図２９および図３０は，関連発明１における計算機および計算機センタのハードウェア構成の例を示す図である。
図２９（Ａ）は，図２に示す構成例における計算機１のハードウェア構成の一例を示している。計算機１は，ＣＰＵ１００，ＲＯＭ１０１，ＲＡＭ１０２，磁気ディスク装置等の外部記憶装置１０３，キーボードインタフェース（Ｉ／Ｆ）１０４を介してバスに接続されるキーボード１０５，ビデオインタフェース（Ｉ／Ｆ）１０６を介してバスに接続されるディスプレイ１０７，マイク１０９やスピーカ１１０等への音声入出力を行うためのサウンドカード１０８，計算機網２との通信を制御するネットワークアダプタ１１１等から構成される。
【０１７３】
図２９（Ｂ）は，図２に示す構成例における計算機センタ３のハードウェアー構成の一例を示している。計算機センタ３の計算機は，ＣＰＵ１００’，ＲＯＭ１０１’，ＲＡＭ１０２’，磁気ディスク装置等の外部記憶装置１０３’，キーボードインタフェース（Ｉ／Ｆ）１０４’を介してバスに接続されるキーボード１０５’，ビデオインタフェース（Ｉ／Ｆ）１０６’を介してバスに接続されるディスプレイ１０７’，計算機網２との通信を制御するネットワークアダプタ１１１’および電話網４を介した通話制御を行うためのサウンドカード１２０およびＮＣＵ１２１等から構成される。
【０１７４】
また，図３０は，図４に示す構成例における計算機センタ３のハードウェア構成の一例を示している。
図４に示すエージェント７３を動作させるための計算機は，ＣＰＵ２００，ＲＯＭ２０１，ＲＡＭ２０２，磁気ディスク装置等の外部記憶装置２０３，キーボードインタフェース（Ｉ／Ｆ）２０４を介してバスに接続されるキーボード２０５，ビデオインタフェース（Ｉ／Ｆ）２０６を介してバスに接続されるディスプレイ２０７，ＨＵＢ２０９に接続され，計算機網２との通信を制御するネットワークアダプタ２０８等から構成される。
【０１７５】
また，図４に示す音声通話プロセス７４（音声通話プロセス７４’も同様）を動作させるための計算機は，ＣＰＵ２１０，ＲＯＭ２１１，ＲＡＭ２１２，ＨＵＢ２０９に接続されて計算機網２との通信を制御するネットワークアダプタ２１３，磁気ディスク装置等の外部記憶装置２１４および電話網４を介した通話制御を行うためのサウンドカード２１５およびＮＣＵ２１６等から構成される。
【０１７６】
図３１は，アナログ電話網用の網制御部（ＮＣＵ）の一例を示す。
図３１において，２５０はＲＳ−２３２Ｃインタフェース，２５１はシリアル入出力インタフェース（ＳＩＯ），２５２はパラメータ入出力インタフェース（ＰＩＯ），２５３はＣＰＵ，２５４はシリアル入出力インタフェース（ＳＩＯ），２５５はＲＯＭ，２５６はＲＡＭ，２５７はスイッチ，２５８は２線−４線変換器，２５９，２６０はそれぞれ音声入力用，音声出力用の増幅器（アンプ）である。
【０１７７】
図３１の例では，ＲＳ−２３２Ｃインタフェース２５０を介して，計算機から制御する構成としているが，直接計算機のバスを介して制御してもよい。
なお，前述の説明においては，説明をわかりやすくするために，主に計算機と計算機センタが１対１の場合の構成例を示したが，例えば，図４または図７に示す構成例のように，計算機と計算機センタがｎ対ｍの計算機間での通話を行うようにすることも可能である。
【０１７８】
【発明の効果】
本発明によれば，電話網上では音声信号が伝送されるので伝送効率の低下と品質の低下が起こらないという効果がある。
【０１７９】
また，電話番号の取得，電話網に対する発信制御等はエージェントが行うので，音声通話プロセスは改造・変更なしに既存のものがそのまま使用でき，経済的な効果が大きい。
【０１８１】
以上のように，請求項１に記載する発明によれば，音声通話プロセス６１とは別に発信側の計算機６上のエージェント６３と着信側の計算機センタ７上のエージェント７３の間で通信を行うので（図５参照），発信元計算機と着信側計算機センタ間で音声通話プロセスの制約を受けずに通信内容，プロトコル等を自由に拡張できるという効果がある。また，各エージェントは音声通話プロセスを単に起動するだけであり，音声通話プロセス間の通信には関与しない。したがって，エージェント側で起動する音声通話プロセスの名前を変更するだけで，他の音声通話プロセスにも容易に対応できるという効果がある。
【０１８２】
請求項２に記載する発明によれば，エージェント６３が計算機センタ７より伝送され，起動されるので（図８参照），予めエージェントを持たない計算機でも電話への着信ができるという効果がある。
【０１８３】
請求項３に記載する発明によれば，電話番号書き換え手段により，電話番号格納部の電話番号が書き換えられるので，着信先を柔軟に変更することが可能になるという効果がある。
【０１８４】
請求項４に記載する発明によれば，発信者が発信時にオンラインで電話番号を入力できるという効果がある。
請求項５に記載する発明によれば，電話番号格納部によって特定の文字列から電話番号に変換されるので，発信者は着信者を示す特定の文字列で着信先を指定できるという効果がある。
【０１８５】
請求項６に記載する発明によれば，電話番号受信手段により網制御手段を介して電話端末から電話番号を受信できるので，電話端末のみで着信先の電話番号を指定できるという効果がある。
【０１８６】
請求項７に記載する発明によれば，ユーザ位置監視エージェントが，通話相手の最新の着信先電話番号を常に電話番号格納部に書き込むので，自動的に着信先が設定されるという効果がある。
【０１８７】
請求項８に記載する発明によれば，着信先が計算機である場合には，計算機同士で接続されるので，計算機で着信できるという効果がある。
請求項９に記載する発明によれば，常に着信先電話番号の属するエリアと物理的に最も近いエリアにある計算機センタから発信されることになるので，公衆電話網の使用料金を最小にできるという効果がある。
【０１８８】
請求項１０に記載する発明によれば，電話端末側からの指定により，計算機センタがコールバックをして接続できるので，実質的に電話端末側から発信できるという効果がある。
【０１８９】
請求項１１に記載する発明によれば，音声通話のデータだけでなく，動画データも送信することによって，テレビ電話などを実現することが可能になる。
請求項１２ないし請求項１５に記載の装置を用いることによって，以上の計算機網から電話への着信が可能になる。
【０１９０】
請求項１６に記載する発明によれば，ユーザは手持ちの音声通話プロセスを使用できるので，ユーザの利便性が向上するという効果がある。
請求項１７に記載する発明によれば，ユーザは何らの音声通話プロセスも自分で用意する必要がなくなるため，ユーザの利便性がさらに向上するという効果がある。
【０１９１】
請求項１８に記載する発明によれば，音声通話終了後に再びＷＷＷでセンタにアクセスできるので，ユーザの利便性が向上するという効果がある。
【図面の簡単な説明】
【図１】  本発明の概要説明図である。
【図２】  関連発明１の実施の一形態を示す構成図である。
【図３】  関連発明１の実施の形態における動作シーケンスを示す図である。
【図４】  関連発明１の他の実施の形態を示す構成図である。
【図５】  請求項１に記載する発明の実施の一形態を示す構成図である。
【図６】  請求項１に記載する発明の実施の形態における動作シーケンスを示す図である。
【図７】  請求項１に記載する発明の他の実施の形態を示す構成図である。
【図８】  請求項２に記載する発明の実施の一形態を示す構成図である。
【図９】  請求項２に記載する発明の実施の形態における動作シーケンスを示す図である。
【図１０】  請求項３に記載する発明の実施の一形態を示す構成図である。
【図１１】  請求項４に記載する発明の実施の一形態を示す構成図である。
【図１２】  請求項４に記載する発明の実施の形態における動作シーケンスを示す図である。
【図１３】  請求項５に記載する発明の実施の形態における計算機センタの構成例を示す図である。
【図１４】  請求項６に記載する発明の実施の形態における計算機センタの構成例を示す図である。
【図１５】  請求項７に記載する発明の実施の一形態を示す構成図である。
【図１６】  請求項７に記載する発明の実施の形態におけるユーザ位置監視方法を説明する図である。
【図１７】  請求項８に記載する発明の実施の一形態を示す構成図である。
【図１８】  請求項９に記載する発明の実施の一形態を示す構成図である。
【図１９】  請求項９に記載する発明の他の実施の形態を示す構成図である。
【図２０】  請求項９に記載する発明の他の実施の形態を示す構成図である。
【図２１】  請求項９に記載する発明の実施の形態における電話番号データベースの構成例を示す図である。
【図２２】  請求項９に記載する発明の実施の形態における電話番号データベースの構成例を示す図である。
【図２３】  請求項１０に記載する発明の実施の一形態を示す構成図である。
【図２４】  請求項１０に記載する発明の他の実施の形態を示す構成図である。
【図２５】  請求項１６に記載する発明の実施の一形態を示す構成図である。
【図２６】  請求項１７に記載する発明の実施の一形態を示す構成図である。
【図２７】  請求項１８に記載する発明の実施の一形態を示す構成図である。
【図２８】  請求項１８に記載する発明の他の実施の形態を示す構成図である。
【図２９】  本発明の実施の形態におけるハードウェア構成の例を示す図である。
【図３０】  本発明の実施の形態におけるハードウェア構成の例を示す図である。
【図３１】  本発明の実施の形態における網制御部の一例を示す図である。
【図３２】  従来技術を説明する図である。
【図３３】  従来技術を説明する図である。
【符号の説明】
１  計算機
１１  音声通話処理手段
１２  音声／データ変換手段
２  計算機網
３  計算機センタ
３１  音声通話処理手段
３２  音声／データ変換手段
３３  エージェント処理手段
３４  網制御手段
３５  電話番号格納部
４  電話網
５  電話端末
【図１】
0003776537.tif 000002
【図２】
0003776537.tif 000003
【図３】
0003776537.tif 000004
【図４】
0003776537.tif 000005
【図５】
0003776537.tif 000006
【図６】
0003776537.tif 000007
【図７】
0003776537.tif 000008
【図８】
0003776537.tif 000009
【図９】
0003776537.tif 000010
【図１０】
0003776537.tif 000011
【図１１】
0003776537.tif 000012
【図１２】
0003776537.tif 000013
【図１３】
0003776537.tif 000014
【図１４】
0003776537.tif 000015
【図１５】
0003776537.tif 000016
【図１６】
0003776537.tif 000017
【図１７】
0003776537.tif 000018
【図１８】
0003776537.tif 000019
【図１９】
0003776537.tif 000020
【図２０】
0003776537.tif 000021
【図２１】
0003776537.tif 000022
【図２２】
0003776537.tif 000023
【図２３】
0003776537.tif 000024
【図２４】
0003776537.tif 000025
【図２５】
0003776537.tif 000026
【図２６】
0003776537.tif 000027
【図２７】
0003776537.tif 000028
【図２８】
0003776537.tif 000029
【図２９】
0003776537.tif 000030
【図３０】
0003776537.tif 000031
【図３１】
0003776537.tif 000032
【図３２】
0003776537.tif 000033
【図３３】
0003776537.tif 000034